(57)【要約】【課題】サイズの拡大を抑制しつつ、配光角を小さくできる照明器具を提供する。【解決手段】照明器具１は、発光部２１ｂと、第１反射部材４１と、第２反射部材４２とを備える。第１反射部材４１は、発光部２１ｂが出射した光のうち、第２反射部材４２を介することなく第１反射部材４１に入射する光を反射する。第２反射部材４２の少なくとも一部は、第１反射部材４１に囲まれている。第２反射部材４２は、発光部２１ｂが出射した光のうち、第１反射部材４１を介することなく第２反射部材４２に入射する光を反射する。【選択図】図２
2018006034.tif 000002
【特許請求の範囲】
【請求項１】
発光部と、
第１反射部材と、
第２反射部材と
を備え、
前記第１反射部材は、前記発光部が出射した光のうち、前記第２反射部材を介することなく前記第１反射部材に入射する光を反射し、
前記第２反射部材の少なくとも一部は、前記第１反射部材に囲まれており、
前記第２反射部材は、前記発光部が出射した前記光のうち、前記第１反射部材を介することなく前記第２反射部材に入射する光を反射する、照明器具。
【請求項２】
前記発光部は、第１領域と、前記第１領域に囲まれた第２領域とを含み、
前記第２反射部材の先端は、前記第２領域に対向し、前記発光部から離間している、請求項１に記載の照明器具。
【請求項３】
前記第２反射部材は、外面と内面と貫通路とを有し、
前記貫通路は、前記内面に囲まれ、前記第２反射部材を貫通する、請求項１又は請求項２に記載の照明器具。
【請求項４】
前記第２反射部材の形状は、筒状である、請求項３に記載の照明器具。
【請求項５】
前記発光部に対して前記第２反射部材を位置決めする第１位置決め部材をさらに備え、
前記第１反射部材は、
前記発光部が出射した前記光が入射する入射開口と、
前記入射開口に入射した前記光が出射する出射開口と
を有し、
前記第１位置決め部材は、前記入射開口と前記出射開口とのうち前記出射開口の側に配置される、請求項１から請求項４のいずれか１項に記載の照明器具。
【請求項６】
前記発光部に対して前記第２反射部材を位置決めする第２位置決め部材をさらに備え、
前記第２位置決め部材は、前記入射開口と前記出射開口とのうち前記入射開口の側に配置される、請求項５に記載の照明器具。
【発明の詳細な説明】
【技術分野】
【０００１】
本発明は、照明器具に関する。
【背景技術】
【０００２】
特許文献１に記載された照明器具は、発光部及び反射部材を備える。反射部材は、発光部が出射した光を反射する。反射部材の長さ、径、及び／又は反射面形状を変えることで配光を調整可能である。反射部材の長さは、光軸に沿った長さを示す。反射部材の径は、反射部材の最大径を示す。反射面形状は、光を反射する面の形状を示す。面の形状は、例えば、楕円、放物面、又は非球面である。
【先行技術文献】
【特許文献】
【０００３】
【特許文献１】特開２０１５−１９１７６２号公報
【発明の概要】
【発明が解決しようとする課題】
【０００４】
しかしながら、特許文献１に記載された照明器具では、配光角を小さくするためには、反射部材のサイズを拡大することが要求される。配光角は、例えば、１／２照度角又は１／２ビーム角によって表される。反射部材のサイズは、反射部材の長さ及び／又は径を含む。反射部材のサイズを拡大すると、照明器具のサイズが拡大する。照明器具のサイズは、照明器具の長さ及び／又は幅を含む。照明器具の長さは、光軸に沿った長さを示す。照明器具の幅は、光軸に直交する方向に沿った幅を示す。
【０００５】
例えば、配光角を小さくするためには、反射部材の長さを拡大する対応、反射部材の径を拡大する対応、及び反射面形状を変更する対応のうち少なくとも１つの対応が要求される。特に、反射部材の長さは、配光角を小さくするための重要なファクターである。なぜなら、反射部材の長さを拡大する程、多数の光路を進む光を反射でき、光が拡がることを抑制できるからである。しかしながら、反射部材の長さを拡大する程、照明器具の長さが拡大する。また、反射部材の径を拡大する程、照明器具の幅が拡大する。
【０００６】
本発明は上記課題に鑑みてなされたものであり、その目的は、サイズの拡大を抑制しつつ、配光角を小さくできる照明器具を提供することにある。
【課題を解決するための手段】
【０００７】
本願に開示する照明器具は、発光部と、第１反射部材と、第２反射部材とを備える。前記第１反射部材は、前記発光部が出射した光のうち、前記第２反射部材を介することなく前記第１反射部材に入射する光を反射する。前記第２反射部材の少なくとも一部は、前記第１反射部材に囲まれている。前記第２反射部材は、前記発光部が出射した前記光のうち、前記第１反射部材を介することなく前記第２反射部材に入射する光を反射する。
【０００８】
本願に開示する照明器具において、前記発光部は、第１領域と、前記第１領域に囲まれた第２領域とを含むことが好ましい。前記第２反射部材の先端は、前記第２領域に対向し、前記発光部から離間していることが好ましい。
【０００９】
本願に開示する照明器具において、前記第２反射部材は、外面と内面と貫通路とを有することが好ましい。前記貫通路は、前記内面に囲まれ、前記第２反射部材を貫通することが好ましい。
【００１０】
本願に開示する照明器具において、前記第２反射部材の形状は、筒状であることが好ましい。
【００１１】
本願に開示する照明器具は、前記発光部に対して前記第２反射部材を位置決めする第１位置決め部材をさらに備えることが好ましい。前記第１反射部材は、前記発光部が出射した前記光が入射する入射開口と、前記入射開口に入射した前記光が出射する出射開口とを有することが好ましい。前記第１位置決め部材は、前記入射開口と前記出射開口とのうち前記出射開口の側に配置されることが好ましい。
【００１２】
本願に開示する照明器具は、前記発光部に対して前記第２反射部材を位置決めする第２位置決め部材をさらに備えることが好ましい。前記第２位置決め部材は、前記入射開口と前記出射開口とのうち前記入射開口の側に配置されることが好ましい。
【発明の効果】
【００１３】
本発明によれば、サイズの拡大を抑制しつつ、配光角を小さくできる。
【図面の簡単な説明】
【００１４】
【図１】本発明の実施形態に係る照明器具を示す側面図である。
【図２】実施形態に係る照明器具の灯具本体を示す断面図である。
【図３】実施形態に係る照明器具の灯具本体を示す斜視図である。
【図４】（ａ）実施形態に係る照明器具の光源部を示す平面図である。（ｂ）実施形態に係る照明器具の灯具本体の一部を示す拡大断面図である。
【図５】実施形態に係る照明器具の発光部から出射される光の経路を示す断面図である。
【図６】実施形態の変形例に係る照明器具の灯具本体の一部を示す断面図である。
【発明を実施するための形態】
【００１５】
以下、本発明の実施形態について、図面を参照しながら説明する。なお、図中、同一または相当部分については同一の参照符号を付して説明を繰り返さない。また、本明細書において、三次元直交座標系のＸ軸及びＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１６】
図１は、本発明の実施形態に係る照明器具１を示す側面図である。図１に示すように、照明器具１は、例えば、プラグ式のスポットライトである。照明器具１は、灯具本体３と、アーム５と、プラグユニット７と、コード９とを備える。アーム５は灯具本体３を保持する。アーム５は、プラグユニット７に、軸線Ａ１の周りに回転可能に連結される。従って、灯具本体３は、軸線Ａ１の周りに回転可能である。
【００１７】
プラグユニット７は、灯具本体３に内部電源電圧を供給する電源部８を含む。電源部８に接続されるコード９は、プラグユニット７から引き出され、灯具本体３に接続される。コード９は、電源部８が生成した内部電源電圧を灯具本体３に供給する。プラグユニット７は、配線ダクト１１に装着される。そして、電源部８には、配線ダクト１１から外部電源電圧が供給される。電源部８は、外部電源電圧に基づいて内部電源電圧を生成する。配線ダクト１１は、長尺状であり、天井のような天壁１３に固定される。
【００１８】
灯具本体３は、軸線Ａ２の周りに回転可能である。灯具本体３が回転されて、灯具本体３の姿勢が定められると、アーム５は、灯具本体３の姿勢が一定に維持されるように、灯具本体３を保持する。灯具本体３は、光源部２１と、ヒートシンク２３と、外装部材２５とを含む。
【００１９】
光源部２１は、光を出射する。ヒートシンク２３は、光源部２１の発する熱を放散する。外装部材２５は、略円筒状であり、開口部２７と、切欠部２９と、開口部３１とを有する。開口部２７及び開口部３１の各々は略円形状である。外装部材２５は、ヒートシンク２３の一部を覆う。アーム５は、ヒートシンク２３のうち切欠部２９から露出している部分を保持している。
【００２０】
次に、図２及び図３を参照して、灯具本体３について説明する。図２は、灯具本体３を示す断面図である。図３は、灯具本体３を示す斜視図である。図２及び図３に示すように、灯具本体３には、光源部２１が取り付けられる。光源部２１は、基板２１ａと、発光部２１ｂとを含む。基板２１ａの実装面には発光部２１ｂが実装される。発光部２１ｂは光を出射する。
【００２１】
灯具本体３は、第１反射部材４１と、第２反射部材４２と、カバー部材４３（第１位置決め部材）とをさらに含む。なお、図３では、説明の便宜のため、カバー部材４３を省略している。
【００２２】
カバー部材４３は、略円板状であり、灯具本体３に取り付けられる。カバー部材４３は、開口部２７に対向し、開口部２７よりも発光部２１ｂに近い位置に配置される。カバー部材４３は、発光部２１ｂが出射した光を通過させる。具体的には、カバー部材４３は、発光部２１ｂが出射した光を直接受けて、光を通過させる。また、カバー部材４３は、第１反射部材４１が反射した光を受けて、光を通過させる。さらに、カバー部材４３は、第２反射部材４２が反射した光を受けて、光を通過させる。
【００２３】
カバー部材４３は、例えば、透明又は半透明であり、発光部２１ｂが出射した光を透過させる。ただし、カバー部材４３は、発光部２１ｂが出射した光を拡散して出射してもよい。例えば、カバー部材４３は、光拡散材料を混ぜた樹脂を略円板状に成形することによって形成される。例えば、カバー部材４３は、透明又は半透明の略円板状の部材の光出射面又は光入射面に微小な凹凸を設けることによって形成される。例えば、カバー部材４３は、乳白色のような色彩を有していてもよい。さらに、カバー部材４３は、略円板状に限定されず、任意の形状であってもよい。例えば、カバー部材４３は、レンズ機能を有する形状及び材質を有していてもよい。レンズ機能とは、光を屈折させて、光を発散又は収束させる機能のことである。
【００２４】
第１反射部材４１は、灯具本体３に収容され、灯具本体３に取り付けられる。第１反射部材４１は、発光部２１ｂとカバー部材４３との間に配置される。そして、第１反射部材４１は、発光部２１ｂが出射した光のうち、第２反射部材４２を介することなく第１反射部材４１に入射する光（以下、「光ＬＴ１」と記載する場合がある。）を反射する。また、第１反射部材４１は、第２反射部材４２が反射した光の一部を反射する。
【００２５】
具体的には、第１反射部材４１は、入射開口４４と出射開口４６と内面４８とを有する。発光部２１ｂは、第１反射部材４１の外側に位置し、入射開口４４と対向する。そして、発光部２１ｂが出射した光は、入射開口４４に入射する。入射開口４４に入射した光は、出射開口４６から出射する。入射開口４４及び出射開口４６の各々は略円形状である。カバー部材４３は、入射開口４４と出射開口４６とのうち出射開口４６の側に配置される。本実施形態では、カバー部材４３は、出射開口４６を塞ぐように配置される。
【００２６】
第１反射部材４１の内面４８は、内面４８に入射した光ＬＴ１を反射する。つまり、内面４８は反射面として機能する。内面４８の内径は、入射開口４４から出射開口４６に向かって漸次大きくなる。内面４８は、例えば、放物面、楕円面、又は非球面により形成される。
【００２７】
第２反射部材４２は、灯具本体３に収容され、発光部２１ｂとカバー部材４３との間に配置される。また、第２反射部材４２の少なくとも一部は、第１反射部材４１の内部に収容され、第１反射部材４１に囲まれている。そして、第２反射部材４２は、発光部２１ｂが出射した光のうち、第１反射部材４１を介することなく第２反射部材４２に入射する光（以下、「光ＬＴ２」と記載する場合がある。）を反射する。また、第２反射部材４２は、第１反射部材４１が反射した光の一部を反射する。
【００２８】
具体的には、第２反射部材４２は略筒状である。本実施形態では、第２反射部材４２は略円筒状である。第２反射部材４２の長さは、第１反射部材４１の長さよりも長い。本明細書において、特に明示しない限り、長さは、光軸ＬＡに沿った長さを示す。また、幅は、光軸ＬＡに直交する方向ＴＤに沿った幅を示す。光軸ＬＡとは、発光部２１ｂの光軸のことである。光軸ＬＡは、発光部２１ｂに直交し、発光部２１ｂの中心を通る。第２反射部材４２の中心軸ＣＡは光軸ＬＡに略一致する。
【００２９】
第２反射部材４２の先端Ｅ１は、発光部２１ｂに対向している。第２反射部材４２の先端Ｅ１は、第２反射部材４２の長手方向の両端のうち入射開口４４の側に位置する。一方、第２反射部材４２の基端Ｅ２は、第２反射部材４２の長手方向の両端のうち出射開口４６の側に位置する。第２反射部材４２の基端Ｅ２は、カバー部材４３に取り付けられる。換言すれば、カバー部材４３は、発光部２１ｂに対して第２反射部材４２を位置決めする。具体的には、カバー部材４３は、発光部２１ｂの光軸ＬＡと第２反射部材４２の中心軸ＣＡとが一致するように、第２反射部材４２を位置決めする。また、カバー部材４３と第２反射部材４２の基端Ｅ２とは、例えば、接着剤によって接合される。
【００３０】
第２反射部材４２は、外周面５０（外面）と、内周面５２（内面）と、貫通路５４とを有する。外周面５０には、発光部２１ｂが出射した光の一部が直接入射する。また、外周面５０には、第１反射部材４１の内面４８が反射した光の一部が入射する。そして、外周面５０は、外周面５０に入射した光を反射する。つまり、外周面５０は反射面として機能する。また、第１反射部材４１の内面４８は、外周面５０が反射した光の一部を反射する。
【００３１】
一方、第２反射部材４２の内周面５２は、第２反射部材４２の先端Ｅ１から内周面５２に入射した光ＬＴ２を反射する。貫通路５４は、内周面５２に囲まれ、第２反射部材４２を貫通する。従って、光ＬＴ２は、内周面５２に反射されながら、貫通路５４を通り、第２反射部材４２の基端Ｅ２から出射する。
【００３２】
なお、第１反射部材４１の内面４８並びに第２反射部材４２の外周面５０及び内周面５２には、光を効率良く反射するために、白色塗装、銀色塗装、又は光沢のある金属メッキなどの反射加工が施されていることが好ましい。内面４８、外周面５０、及び内周面５２は、例えば、鏡面反射する。また、第１反射部材４１及び第２反射部材４２の素材が白色又は銀色等の光反射率の高い色彩を有していてもよい。
【００３３】
以上、図２及び図３を参照して説明した本実施形態によれば、灯具本体３のサイズ（例えば、長さ及び／又は幅）の拡大を抑制しつつ、灯具本体３の配光角を小さくできる。
【００３４】
具体的には、第１反射部材４１は光ＬＴ１を反射する。加えて、第２反射部材４２は光ＬＴ２を反射する。換言すれば、第１反射部材４１と第２反射部材４２とで、発光部２１ｂが出射した光の配光制御を分担できる。
【００３５】
従って、第１反射部材４１と第２反射部材４２との双方によって、灯具本体３から出射する光が拡がることを抑制できる。つまり、第１反射部材４１だけで多数の光路を進む光を反射することが要求されず、灯具本体３から出射する光が拡がることを第１反射部材４１だけで抑制することが要求されない。加えて、第２反射部材４２の少なくとも一部は、第１反射部材４１に囲まれている。
【００３６】
その結果、第１反射部材４１の長さの拡大を抑制できる。加えて、第１反射部材４１と第２反射部材４２とによって、発光部２１ｂが出射した光の配光制御を実行して配光角を小さくできる。
【００３７】
すなわち、灯具本体３の長さの拡大を抑制しつつ、灯具本体３の配光角を小さくできる。
【００３８】
また、第１反射部材４１の長さの拡大を抑制できる理由と同様の理由により、第１反射部材４１の径の拡大を抑制できる。従って、灯具本体３の幅の拡大を抑制しつつ、灯具本体３の配光角を小さくできる。なお、第１反射部材４１の径は、第１反射部材４１の最大径を示す。
【００３９】
灯具本体３の配光角は、例えば、１／２照度角又は１／２ビーム角によって表される。
【００４０】
１／２照度角とは、発光部２１ｂが水平面に対して垂直に光を照射したときに、発光部２１ｂの直下の照度の１／２の照度となる位置の開き角度のことである。例えば、図２に示すように、発光部２１ｂが水平面に対して垂直に光を照射したときに、角度θを２倍した角度２θが、１／２照度角である。角度θは、１／２照度点と発光部２１ｂの中心とを結んだ線と、鉛直線とのなす角度を示す。１／２照度点は、光の照射された水平面上において、発光部２１ｂの直下の照度の１／２の照度となる点を示す。
【００４１】
１／２ビーム角とは、発光部２１ｂが出射する光の最大光度の１／２の光度を示す方向と光軸ＬＡとのなす角度αの２倍の角度２αのことである。
【００４２】
また、本実施形態によれば、第１反射部材４１と第２反射部材４２とで配光制御を分担しているため、第１反射部材だけを設ける場合と比較して、第１反射部材４１の設計の自由度を大きくできる。自由度を大きくできる理由を、第１反射部材だけを設ける場合と比較して説明する。
【００４３】
すなわち、第１反射部材だけを設ける場合、所望の配光角を実現するためには、第１反射部材の内面全体が所定の光学条件を厳密に満たすことが要求される。しかしながら、所定の光学条件の要求が厳しいと第１反射部材の内面全体が所定の光学条件を厳密に満たすように設計することは容易ではない。その結果、第１反射部材のサイズ（例えば、長さ及び／又は径）を大きくせざるを得ない。
【００４４】
これに対して、本実施形態では、第１反射部材４１と第２反射部材４２とで配光制御を分担しているため、第１反射部材４１の内面４８の一部が所定の光学条件を厳密に満たすように設計することで足りる。第１反射部材４１の内面４８の他の一部に対しては、所定の光学条件を満たすことの要求は緩和される。従って、第１反射部材４１の設計の自由度が大きくなる。
【００４５】
さらに、本実施形態によれば、第２反射部材４２の内周面５２及び貫通路５４によって光ＬＴ２を配光制御できるだけでなく、外周面５０によっても光を配光制御できる。その結果、配光制御を精度良く実行できる。
【００４６】
さらに、本実施形態によれば、第２反射部材４２は略筒状である。従って、第２反射部材４２の設計及び製造が容易で、コストを低減できる。
【００４７】
さらに、本実施形態によれば、カバー部材４３は、発光部２１ｂに対して第２反射部材４２を位置決めする。従って、第２反射部材４２の発光部２１ｂに対する位置が精度良く定まる。その結果、第２反射部材４２による配光制御を更に精度良く実行できる。
【００４８】
さらに、本実施形態によれば、発光部２１ｂと第１反射部材４１との間、及び発光部２１ｂと第２反射部材４２との間には、間隙が形成されており、部材が配置されていない。従って、発光部２１ｂが出射した光の損失を抑制しつつ、第１反射部材４１及び第２反射部材４２に光を効率良く入射させることができる。
【００４９】
次に、図４（ａ）を参照して、光源部２１について説明する。図４（ａ）は、光源部２１を示す平面図である。図４（ａ）に示すように、光源部２１の基板２１ａは略矩形状である。発光部２１ｂは略円板状である。発光部２１ｂは、略円環状の第１領域６１と、略円板状の第２領域６２とを含む。第２領域６２は、第１領域６１に囲まれている。なお、図４（ａ）では、理解を容易にするため、第１領域６１と第２領域６２との境界を破線で示している。
【００５０】
発光部２１ｂは複数の発光素子２２を含む。具体的には、第１領域６１は複数の発光素子２２を含み、第２領域６２は複数の発光素子２２を含む。なお、図４（ａ）では、図面の簡略化のため、第１領域６１の１つの発光素子２２だけを示し、第２領域６２の１つの発光素子２２だけを示している。
【００５１】
発光素子２２は、本実施形態では、ＬＥＤ（Ｌｉｇｈｔ  Ｅｍｉｔｔｉｎｇ  Ｄｉｏｄｅ）である。そして、発光部２１ｂは、ＣＯＢ（Ｃｈｉｐ  ｏｎ  Ｂｏａｒｄ）タイプである。ＣＯＢタイプは、複数のＬＥＤを蛍光体で封止することにより発光部２１ｂを形成するタイプである。なお、発光部２１ｂは、ＳＭＤ（Ｓｕｒｆａｃｅ  Ｍｏｕｎｔ  Ｄｅｖｉｃｅ）タイプであってもよい。ＳＭＤタイプは、ＬＥＤと蛍光体とを１ユニット化してＬＥＤチップを形成し、複数のＬＥＤチップを基板２１ａの実装面に載置して基板２１ａの導電パターンに電気的に接続することにより発光部２１ｂを形成するタイプである。
【００５２】
なお、発光部２１ｂは、第１領域６１及び第２領域６２にわたる１つの発光素子を有していてもよい。また、第１領域６１及び第２領域６２の各々は、１つの発光素子を有していてもよい。さらに、発光部２１ｂ及び第２領域６２の形状は、円形状に限定されず、任意の形状であり得る。第１領域６１の形状は円環状に限定されず、任意の形状であり得る。
【００５３】
次に、図４（ｂ）を参照して、発光部２１ｂ及び第２反射部材４２について説明する。図４（ｂ）は、発光部２１ｂ、第１反射部材４１の一部、及び第２反射部材４２の一部を示す拡大断面図である。なお、図４（ｂ）では、図面の簡略化のため、断面を示す斜線を省略している。
【００５４】
図４（ｂ）に示すように、第１領域６１は最大幅Ｄ１を有する。第２領域６２は最大幅Ｄ２を有する。また、第２反射部材４２は最大幅ＤＳを有する。さらに、第１反射部材４１の入射開口４４は最大幅ＤＦを有する。最大幅Ｄ１、最大幅Ｄ２、最大幅ＤＳ、及び最大幅ＤＦの各々は、実装面に平行な方向に沿った幅を示す。実装面とは、基板２１ａの実装面のことである。
【００５５】
本実施形態では、第１領域６１は略円環状であるため、最大幅Ｄ１は、第１領域６１の外径を示す。第２領域６２は略円板状であるため、最大幅Ｄ２は、第２領域６２の外径を示す。第２反射部材４２は略円筒状であるため、最大幅ＤＳは第２反射部材４２の外径を示す。入射開口４４は略円形状であるため、最大幅ＤＦは入射開口４４の外径を示す。
【００５６】
第１領域６１の最大幅Ｄ１は、第２領域６２の最大幅Ｄ２よりも大きい。また、第１領域６１の最大幅Ｄ１は、入射開口４４の最大幅ＤＦよりも小さい。従って、第１領域の最大幅が入射開口の最大幅以上である場合と比較して、発光部２１ｂが出射した光が第１反射部材４１の外部に漏れることを抑制できる。その結果、発光部２１ｂが出射した光を、第１反射部材４１及び第２反射部材４２に更に効率良く入射させることができる。
【００５７】
また、第２反射部材４２の最大幅ＤＳは、第２領域６２の最大幅Ｄ２と略同一である。そして、第２反射部材４２の先端Ｅ１は、第２領域６２に対向する。従って、第２反射部材４２の内周面５２に、第２領域６２から出射された光を容易に入射させることができる。その結果、第２反射部材４２に、第２領域６２から出射された光の配光制御を容易に分担させることができる。
【００５８】
さらに、第２反射部材４２の先端Ｅ１は、入射開口４４から所定距離Ｐだけ、発光部２１ｂに向かって突出している。従って、第２反射部材４２の内周面５２に、第２領域６２から出射された光を更に容易に入射させることができる。その結果、第２反射部材４２に、第２領域６２から出射された光の配光制御を更に容易に分担させることができる。
【００５９】
さらに、第２反射部材４２は、発光部２１ｂから離間している。具体的には、第２反射部材４２の先端Ｅ１は、発光部２１ｂに対して、所定距離Ｇだけ離間している。従って、発光部２１ｂが第２反射部材４２に接触することを抑制できる。その結果、発光部２１ｂ及び／又は第２反射部材４２の破損を抑制できる。
【００６０】
さらに、発光部２１ｂの第１領域６１の最大幅Ｄ１は、第２反射部材４２の最大幅ＤＳよりも大きい。加えて、第１領域６１は、第２領域６２よりも、第１反射部材４１に近い位置に位置する。加えて、第１領域６１は第２反射部材４２の先端Ｅ１に対向していない。従って、第１反射部材４１の内面４８に、第１領域６１から出射された光を容易に入射させることができる。その結果、第１反射部材４１に、第１領域６１から出射された光の配光制御を容易に分担させることができる。
【００６１】
以上、図４（ａ）及び図４（ｂ）を参照して説明したように、本実施形態によれば、第１反射部材だけを設ける場合と比較して、第１反射部材４１のサイズ（例えば、長さ及び／又は径）の拡大を抑制しつつ、配光角を小さくできる。サイズの拡大を抑制しつつ配光角を小さくできる理由を、第１反射部材だけを設ける場合と比較して説明する。
【００６２】
すなわち、第１反射部材だけを設け、第２領域６２から出射された光を第１反射部材だけで配光制御するためには、第２領域６２から出射された光を第１反射部材の内面に入射させることが要求される。一方、第２領域６２から出射された光は、第１領域６１から出射された光よりも、第１反射部材の内面に入射し難い。従って、第１反射部材だけの配光制御によって配光角を小さくするためには、第１反射部材の長さを拡大し、第２領域６２から出射された光を第１反射部材の内面に入射させることが要求される。
【００６３】
これに対して、本実施形態によれば、第２領域６２から出射された光は、第２反射部材４２によって配光制御される。従って、第１反射部材４１の長さの拡大を抑制しつつ、第２領域６２から出射された光の配光制御を実行できる。その結果、第１反射部材４１の長さの拡大を抑制しつつ、配光角を小さくできる。
【００６４】
また、同様の理由により、第１反射部材４１の径の拡大を抑制しつつ、第２領域６２から出射された光の配光制御を実行できる。その結果、第１反射部材４１の径の拡大を抑制しつつ、配光角を小さくできる。換言すれば、第１反射部材４１の幅の拡大を抑制しつつ、配光角を小さくできる。
【００６５】
次に、図５を参照して、光の経路について説明する。図５は、発光部２１ｂから出射される光の経路を示す断面図である。なお、図５では、図面の簡略化のため、断面を示す斜線を省略している。
【００６６】
図５に示すように、第１領域６１から出射された光の一部は、光ＬＴ１として第１反射部材４１の内面４８に入射する。そして、光ＬＴ１は、内面４８に反射されて、出射開口４６から出射する。また、第１領域６１から出射された光の他の一部は、第２反射部材４２の内周面５２に光ＬＴ２として入射したり、出射開口４６から直接出射したりする。
【００６７】
一方、第２反射部材４２の先端Ｅ１が第２領域６２に対向しているため、第２領域６２から出射された光の一部は、光ＬＴ２として第２反射部材４２の内周面５２及び貫通路５４に入射する。そして、光ＬＴ２は、内周面５２に反射されながら、貫通路５４を通り、第２反射部材４２の基端Ｅ２から出射する。また、第２領域６２から出射された光の他の一部は、第１反射部材４１の内面４８に光ＬＴ１として入射したり、出射開口４６から直接出射したりする。ただし、第２反射部材４２の先端Ｅ１が第２領域６２に対向しているため、光ＬＴ２の光量は、第２領域から出射された光の他の一部の光量よりも多い。
【００６８】
（変形例）
次に、図６を参照して、本実施形態の変形例について説明する。変形例に係る照明器具１の灯具本体３は、位置決め部材７１を有する点で、図２に示す灯具本体３と異なる。以下、変形例に係る灯具本体３が、図２に示す灯具本体３と異なる点を主に説明する。
【００６９】
図６は、変形例に係る灯具本体３の一部を示す断面図である。図６に示すように、灯具本体３は、位置決め部材７１（第２位置決め部材）をさらに含む。位置決め部材７１は、発光部２１ｂが出射した光を透過する。位置決め部材７１の色彩は、透明色である。ただし、位置決め部材７１の色彩は、有色透明よりも、無色透明のほうが好ましい。透過する光量を多くできるからである。位置決め部材７１は、略円板状であり、灯具本体３に取り付けられる。位置決め部材７１の厚みは、例えば、カバー部材４３の厚みよりも薄い。位置決め部材７１は、入射開口４４と出射開口４６とのうち入射開口４４の側に配置される。変形例では、位置決め部材７１は、入射開口４４を塞ぐように配置される。
【００７０】
位置決め部材７１は、略円環状の溝部７１ａを含む。溝部７１ａは、光軸ＬＡを囲むように形成されている。溝部７１ａには、第２反射部材４２の先端Ｅ１が差し込まれ、位置決め部材７１に第２反射部材４２の先端Ｅ１が取り付けられる。換言すれば、位置決め部材７１は、発光部２１ｂに対して第２反射部材４２を位置決めする。変形例では、位置決め部材７１は、発光部２１ｂの光軸ＬＡと第２反射部材４２の中心軸ＣＡとが一致するように、第２反射部材４２を位置決めする。従って、第２反射部材４２の発光部２１ｂに対する位置が更に精度良く定まる。その結果、第２反射部材４２による配光制御を更に精度良く実行できる。なお、第２反射部材４２の先端Ｅ１は、位置決め部材７１を介して第２領域６２に対向し、発光部２１ｂから離間している。図６では、第１領域６１と第２領域６２とを区別するため、便宜上破線を図示している。
【００７１】
また、図６に示すように、変形例に係るカバー部材４３は、図２に示すカバー部材４３と異なる。すなわち、変形例に係るカバー部材４３は、略円環状の溝部４３ａを含む。溝部４３ａは、光軸ＬＡを囲むように形成されている。溝部４３ａには、第２反射部材４２の基端Ｅ２が差し込まれ、カバー部材４３に第２反射部材４２の基端Ｅ２が取り付けられる。換言すれば、カバー部材４３は、発光部２１ｂに対して第２反射部材４２を位置決めする。変形例においても、カバー部材４３は、発光部２１ｂの光軸ＬＡと第２反射部材４２の中心軸ＣＡとが一致するように、第２反射部材４２を位置決めする。従って、第２反射部材４２の発光部２１ｂに対する位置が更に精度良く定まる。その結果、第２反射部材４２による配光制御を更に精度良く実行できる。
【００７２】
以上、図面を参照しながら本発明の実施形態（変形例を含む。）について説明した。但し、本発明は、上記の実施形態に限られるものではなく、その要旨を逸脱しない範囲で種々の態様において実施することが可能である（例えば、下記に示す（１）〜（５））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００７３】
（１）図１を参照して説明した本実施形態では、照明器具１は、プラグ式のスポットライトであった。ただし、照明器具１の種類は特に限定されない。例えば、照明器具１は、ダウンライトであってもよい。
【００７４】
（２）図２を参照して説明した本実施形態では、第２反射部材４２の長さは、第１反射部材４１の長さよりも長かった。ただし、発光部２１ｂが出射する光の配光制御を分担できる限り、第２反射部材４２の長さは特に限定されない。例えば、第２反射部材４２の長さは、第１反射部材４１の長さと略同一であってもよいし、第１反射部材４１の長さよりも短くてもよい。例えば、第２反射部材４２の長さは、第１反射部材４１の長さの５０％以上であることが好ましく、第１反射部材４１の長さの９０％以上であることが更に好ましい。また、第２反射部材４２の全体が、第１反射部材４１に囲まれていてもよい。さらに、第２反射部材４２の先端Ｅ１は、入射開口４４から突出していなくてもよい。
【００７５】
（３）図３を参照して説明した本実施形態では、第２反射部材４２は略筒状であった。ただし、発光部２１ｂが出射する光の配光制御を分担できる限り、第２反射部材４２の形状は特に限定されない。例えば、第２反射部材４２の形状は、略角筒状（例えば、略四角筒状）であってもよい。
【００７６】
（４）図３を参照して説明した本実施形態では、カバー部材４３によって第２反射部材４２を位置決めした。ただし、第２反射部材４２を位置決めできる限り、カバー部材４３以外の位置決め部材（第１位置決め部材）を設けてもよい。例えば、複数本のワイヤー又は複数本の棒状部材によって、第２反射部材４２を位置決めしてもよい。
【００７７】
また、図６を参照して説明した本実施形態の変形例では、略円板状の位置決め部材７１によって第２反射部材４２を位置決めした。ただし、第２反射部材４２を位置決めできる限り、位置決め部材７１の形状及び位置決め方法は特に限定されない。例えば、複数本のワイヤー又は複数本の棒状部材によって、第２反射部材４２を位置決めしてもよい。
【００７８】
（５）図６を参照して説明した本実施形態の変形例では、位置決め部材７１を設けた。ただし、変形例において、位置決め部材７１を設けなくてもよい。また、変形例では、位置決め部材７１に溝部７１ａを設けた。ただし、溝部７１ａを設けずに、第２反射部材４２の先端Ｅ１と位置決め部材７１とを接着剤によって接合してもよい。
【産業上の利用可能性】
【００７９】
本発明は、照明器具を提供するものであり、産業上の利用可能性を有する。
【符号の説明】
【００８０】
１    照明器具
３    灯具本体
２１    光源部
２１ａ    基板
２１ｂ    発光部
４１    第１反射部材
４２    第２反射部材
４３    カバー部材（第１位置決め部材）
４４    入射開口
４６    出射開口
５０    外周面（外面）
５２    内周面（内面）
５４    貫通路
６１    第１領域
６２    第２領域
７１    位置決め部材（第２位置決め部材）
Ｅ１    先端
Ｅ２    基端
【図１】
2018006034.tif 000003
【図２】
2018006034.tif 000004
【図３】
2018006034.tif 000005
【図４】
2018006034.tif 000006
【図５】
2018006034.tif 000007
【図６】
2018006034.tif 000008